(57)【特許請求の範囲】
【請求項１】
ゴム状弾性体よりなり、筒状を呈し、外周面に取付部材の穴部の周縁部を嵌め込む溝部を設けた防振用のグロメットにおいて、
当該グロメットは、軸方向に２分割されることにより前記穴部に対し軸方向一方から挿入される一方の分割体と、軸方向他方から挿入される他方の分割体とを備え、
前記一方および他方の分割体は、前記挿入後、互いに係合して抜け止めをなす抜け止め用係合部を備えるとともに、前記取付部材の板厚寸法が変更されても装着できるように互いに軸方向にスライド可能とされたうえで前記抜け止め用係合部が係合し、
前記一方の分割体は、前記取付部材の板厚方向一方の面に着座する着座部と、前記着座部の内周側に設けられるとともに前記穴部に差し込まれる外筒部とを一体に備え、
前記他方の分割体は、前記取付部材の板厚方向他方の面に着座する着座部と、前記着座部の内周側に設けられるとともに前記外筒部の内周側に差し込まれる内筒部とを一体に備え、
前記抜け止め用係合部は、前記外筒部の内周面に設けられた係合突起と、前記内筒部の外周面に設けられた係合突起との組み合わせよりなり、
前記両係合突起間に遊び隙間が設定された状態から前記両係合突起が係合した状態となるまでの間で前記両分割体が軸方向にスライド可能とされていることを特徴とするグロメット。
【請求項２】
ゴム状弾性体よりなり、筒状を呈し、外周面に取付部材の穴部の周縁部を嵌め込む溝部を設けた防振用のグロメットにおいて、
当該グロメットは、軸方向に２分割されることにより前記穴部に対し軸方向一方から挿入される一方の分割体と、軸方向他方から挿入される他方の分割体とを備え、
前記一方および他方の分割体は、前記挿入後、互いに係合して抜け止めをなす抜け止め用係合部を備えるとともに、前記取付部材の板厚寸法が変更されても装着できるように互いに軸方向にスライド可能とされたうえで前記抜け止め用係合部が係合し、
前記一方の分割体は、前記着座部および外筒部間にスリットを備え、および／または前記他方の分割体は、前記着座部および内筒部間にスリットを備え、当該グロメットは、前記スリットの大きさまたは形状により当該グロメットのバネ定数を調整可能とされていることを特徴とするグロメット。
【請求項３】
ゴム状弾性体よりなり、筒状を呈し、外周面に取付部材の穴部の周縁部を嵌め込む溝部を設けた防振用のグロメットにおいて、
当該グロメットは、軸方向に２分割されることにより前記穴部に対し軸方向一方から挿入される一方の分割体と、軸方向他方から挿入される他方の分割体とを備え、
前記一方および他方の分割体は、前記挿入後、互いに係合して抜け止めをなす抜け止め用係合部を備えるとともに、前記取付部材の板厚寸法が変更されても装着できるように互いに軸方向にスライド可能とされたうえで前記抜け止め用係合部が係合し、
前記一方の分割体は、前記取付部材の板厚方向一方の面に着座する着座部と、前記着座部の内周側に設けられるとともに前記穴部に差し込まれる外筒部とを一体に備え、
前記他方の分割体は、前記取付部材の板厚方向他方の面に着座する着座部と、前記着座部の内周側に設けられるとともに前記外筒部の内周側に差し込まれる内筒部とを一体に備え、
前記抜け止め用係合部は、前記外筒部の内周面に設けられた係合突起と、前記内筒部の外周面に設けられた係合突起との組み合わせよりなり、
前記両係合突起間に遊び隙間が設定された状態から前記両係合突起が係合した状態となるまでの間で前記両分割体が軸方向にスライド可能とされ、
前記一方の分割体は、前記着座部および外筒部間にスリットを備え、および／または前記他方の分割体は、前記着座部および内筒部間にスリットを備え、当該グロメットは、前記スリットの大きさまたは形状により当該グロメットのバネ定数を調整可能とされていることを特徴とするグロメット。
【請求項４】
請求項１、２または３記載のグロメットにおいて、
前記一方および他方の分割体は、互いに同種のゴム材料によって成形され、または互いに異なる種類のゴム材料によって成形されていることを特徴とするグロメット。
【請求項５】
請求項１、２、３または４記載のグロメットにおいて、
前記一方および他方の分割体は、ゴム硬度を互いに同一に設定され、またはゴム硬度を互いに異なるように設定されていることを特徴とするグロメット。
【発明の詳細な説明】
【技術分野】
【０００１】
本発明は、防振技術に係るグロメットに関する。本発明のグロメットは例えば自動車等車両の関連分野で用いられ、または一般産業用機械の分野などで用いられる。
【背景技術】
【０００２】
従来から図４に示すように、ゴム状弾性体よりなる筒状のグロメット５１が知られており、このグロメット５１は図示するように、その外周面に設けた溝部５３に一方の取付部材６１の穴部６２の周縁部６３を嵌め込むことにより一方の取付部材（例えば吸気管ブラケット）６１に取り付けられるとともに、その中心軸穴５２に差し込んだボルト６４をナット６５に締結することにより他方の取付部材（例えば車両ボディ）６６に取り付けられ、両取付部材６１，６６を防振のうえ連結する機能を発揮する。
【０００３】
しかしながら、このグロメット５１はゴム状弾性体による一体の成形品として成形されているために、以下の問題がある。
【０００４】
すなわち、グロメット５１の外径が一方の取付部材６１の穴部６２の内径より大きく設定されているため、グロメット５１を一方の取付部材６１に取り付ける際にグロメット５１を大きく弾性変形させる必要がある。したがって取付時、グロメット５１に亀裂などが発生することがある。
【０００５】
また、このようにグロメット５１を大きく弾性変形させつつグロメット５１に亀裂などが発生しないように慎重に取り付ける必要があるため、取付作業に熟練を要し、多くの手間と時間がかかる。また、このようにグロメット５１を取り付けにくいと云うことは、グロメット５１を取り外しにくいと云うことでもある。
【０００６】
また、グロメット５１は取付部材６１の形状に合わせて専用の形状にて製作するため、取付部材６１の板厚寸法が変更されると、新たな形状で作り直す必要があり、汎用性がない。
【先行技術文献】
【特許文献】
【０００７】
【特許文献１】特開２００８−９５８８５号公報
【発明の概要】
【発明が解決しようとする課題】
【０００８】
本発明は以上の点に鑑みて、グロメットを取付部材に取り付ける際にグロメットを大きく弾性変形させる必要がなく、よってグロメットに亀裂などが発生することがなく、取付作業を容易化することもできるグロメットを提供することを目的とする。
【０００９】
またこれに加えて、取付部材の板厚寸法が変更されてもグロメットを装着することができ、よって汎用性を備えるグロメットを提供することを目的とする。
【課題を解決するための手段】
【００１０】
上記目的を達成するため、本発明の請求項１によるグロメットは、ゴム状弾性体よりなり、筒状を呈し、外周面に取付部材の穴部の周縁部を嵌め込む溝部を設けた防振用のグロメットにおいて、当該グロメットは、軸方向に２分割されることにより前記穴部に対し軸方向一方から挿入される一方の分割体と、軸方向他方から挿入される他方の分割体とを備え、前記一方および他方の分割体は、前記挿入後、互いに係合して抜け止めをなす抜け止め用係合部を備えるとともに、前記取付部材の板厚寸法が変更されても装着できるように互いに軸方向にスライド可能とされたうえで前記抜け止め用係合部が係合し、前記一方の分割体は、前記取付部材の板厚方向一方の面に着座する着座部と、前記着座部の内周側に設けられるとともに前記穴部に差し込まれる外筒部とを一体に備え、前記他方の分割体は、前記取付部材の板厚方向他方の面に着座する着座部と、前記着座部の内周側に設けられるとともに前記外筒部の内周側に差し込まれる内筒部とを一体に備え、前記抜け止め用係合部は、前記外筒部の内周面に設けられた係合突起と、前記内筒部の外周面に設けられた係合突起との組み合わせよりなり、前記両係合突起間に遊び隙間が設定された状態から前記両係合突起が係合した状態となるまでの間で前記両分割体が軸方向にスライド可能とされていることを特徴とする。
【００１１】
また、本発明の請求項２によるグロメットは、ゴム状弾性体よりなり、筒状を呈し、外周面に取付部材の穴部の周縁部を嵌め込む溝部を設けた防振用のグロメットにおいて、当該グロメットは、軸方向に２分割されることにより前記穴部に対し軸方向一方から挿入される一方の分割体と、軸方向他方から挿入される他方の分割体とを備え、前記一方および他方の分割体は、前記挿入後、互いに係合して抜け止めをなす抜け止め用係合部を備えるとともに、前記取付部材の板厚寸法が変更されても装着できるように互いに軸方向にスライド可能とされたうえで前記抜け止め用係合部が係合し、前記一方の分割体は、前記着座部および外筒部間にスリットを備え、および／または前記他方の分割体は、前記着座部および内筒部間にスリットを備え、当該グロメットは、前記スリットの大きさまたは形状により当該グロメットのバネ定数を調整可能とされていることを特徴とする。
【００１２】
また、本発明の請求項３によるグロメットは、ゴム状弾性体よりなり、筒状を呈し、外周面に取付部材の穴部の周縁部を嵌め込む溝部を設けた防振用のグロメットにおいて、当該グロメットは、軸方向に２分割されることにより前記穴部に対し軸方向一方から挿入される一方の分割体と、軸方向他方から挿入される他方の分割体とを備え、前記一方および他方の分割体は、前記挿入後、互いに係合して抜け止めをなす抜け止め用係合部を備えるとともに、前記取付部材の板厚寸法が変更されても装着できるように互いに軸方向にスライド可能とされたうえで前記抜け止め用係合部が係合し、前記一方の分割体は、前記取付部材の板厚方向一方の面に着座する着座部と、前記着座部の内周側に設けられるとともに前記穴部に差し込まれる外筒部とを一体に備え、前記他方の分割体は、前記取付部材の板厚方向他方の面に着座する着座部と、前記着座部の内周側に設けられるとともに前記外筒部の内周側に差し込まれる内筒部とを一体に備え、前記抜け止め用係合部は、前記外筒部の内周面に設けられた係合突起と、前記内筒部の外周面に設けられた係合突起との組み合わせよりなり、前記両係合突起間に遊び隙間が設定された状態から前記両係合突起が係合した状態となるまでの間で前記両分割体が軸方向にスライド可能とされ、前記一方の分割体は、前記着座部および外筒部間にスリットを備え、および／または前記他方の分割体は、前記着座部および内筒部間にスリットを備え、当該グロメットは、前記スリットの大きさまたは形状により当該グロメットのバネ定数を調整可能とされていることを特徴とする。
【００１３】
また、本発明の請求項４によるグロメットは、上記した請求項１、２または３記載のグロメットにおいて、前記一方および他方の分割体は、互いに同種のゴム材料によって成形され、または互いに異なる種類のゴム材料によって成形されていることを特徴とする。
【００１４】
更にまた、本発明の請求項５によるグロメットは、上記した請求項１、２、３または４記載のグロメットにおいて、前記一方および他方の分割体は、ゴム硬度を互いに同一に設定され、またはゴム硬度を互いに異なるように設定されていることを特徴とする。
【００１５】
上記構成を備える本発明においては、グロメットが、軸方向に２分割されることにより取付部材の穴部に対し軸方向一方から挿入される一方の分割体と、軸方向他方から挿入される他方の分割体とを備えているため、これら分割体はいずれも、取付部材に取り付ける際に大きく弾性変形する必要のない形状とすることが可能とされる。また、これら分割体は穴部への挿入後、互いに係合して抜け止めをなす抜け止め用係合部を備えているため、取付部材から外れにくい。また、これら分割体は取付部材の板厚寸法が変更されても装着できるように互いに軸方向にスライド可能とされたうえで抜け止め用係合部が係合するため、このスライドする範囲で取付部材の板厚寸法の変更に対応することが可能とされる。
【００１６】
一方および他方の分割体は、以下の構造とするのが好適である。
【００１７】
すなわち一方の分割体は、取付部材の板厚方向一方の面に着座する着座部と、着座部の内周側に設けられるとともに穴部に差し込まれる外筒部とを一体に備えるものとする。他方の分割体は、取付部材の板厚方向他方の面に着座する着座部と、着座部の内周側に設けられるとともに外筒部の内周側に差し込まれる内筒部とを一体に備えるものとする。抜け止め用係合部は、外筒部の内周面に設けられた係合突起と、内筒部の外周面に設けられた係合突起との組み合わせよりなるものとする。そして両係合突起間に遊び隙間が設定された状態から両係合突起が係合した状態となるまでの間で両分割体が軸方向にスライド可能とされているため、このスライドする範囲で取付部材の板厚寸法の変更に対応することが可能とされる。
【００１８】
上記構造において一方の分割体は、取付部材の板厚方向一方の面に着座する着座部と、着座部の内周側に設けられるとともに穴部に差し込まれる外筒部とを一体に備えているので、この着座部および外筒部間にスリットを設けることにより一方の分割体のバネ定数を低下させることが可能とされる、またこのようにスリットを設ける場合、スリットの大きさや形状を変更するにより一方の分割体のバネ定数を調整することが可能とされる。同様に他方の分割体は、取付部材の板厚方向他方の面に着座する着座部と、着座部の内周側に設けられるとともに外筒部の内周側に差し込まれる内筒部とを一体に備えているので、この着座部および内筒部間にスリットを設けることにより他方の分割体のバネ定数を低下させることが可能とされる、またこのようにスリットを設ける場合、スリットの大きさや形状を変更するにより他方の分割体のバネ定数を調整することが可能とされる。したがってこれらによりグロメット全体としてのバネ定数を調整することが可能とされる。
【００１９】
一方および他方の分割体は、これらを互いに同種のゴム材料によって成形しても良いが、互いに異なる種類のゴム材料によって成形しても良い。また一方および他方の分割体は、ゴム硬度を互いに同一に設定しても良いが、ゴム硬度を互いに異なるように設定しても良く、これらによればゴム材料またはゴム硬度についての組み合わせが多様化されるため、製品仕様を多様化することが可能とされる。
【発明の効果】
【００２０】
本発明は、以下の効果を奏する。
【００２１】
すなわち、本発明においては上記したように、グロメットが、軸方向に２分割されることにより取付部材の穴部に対し軸方向一方から挿入される一方の分割体と、軸方向他方から挿入される他方の分割体とを備えているため、これら分割体はいずれも、取付部材に取り付ける際に大きく弾性変形する必要のない形状とすることが可能とされている。また、これら分割体は穴部への挿入後、互いに係合して抜け止めをなす抜け止め用係合部を備えているため、取付部材から外れにくい。したがってグロメットを取付部材に取り付ける際にグロメットを大きく弾性変形させる必要がないため、グロメットに亀裂などが発生するのを防止することができ、併せて取付作業を容易化することができる。また、これら分割体は取付部材の板厚寸法が変更されても装着できるように互いに軸方向にスライド可能とされたうえで抜け止め用係合部が係合するため、このスライドする範囲で取付部材の板厚寸法の変更に対応することが可能とされている。したがって取付部材の板厚寸法が変更されてもグロメットを装着することができ、よってグロメットに汎用性を持たせることができる。
【００２２】
また、分割体にスリットを設けてこのスリットの大きさまたは形状によりグロメットのバネ定数を調整する場合には、グロメットの外観形状やゴム材料、ゴム硬度などを変更しなくてもグロメットのバネ定数を変更することができ、よって製品仕様を多様化することができる。
【００２３】
また、一方および他方の分割体を互いに異なる種類のゴム材料によって成形したり、ゴム硬度を互いに異なるように設定したりする場合には、これらの組み合わせ如何によっても製品仕様を多様化することができる。
【図面の簡単な説明】
【００２４】
【図１】本発明の実施例に係るグロメットを取付部材に取り付ける前の状態を示す断面図
【図２】同グロメットを取付部材に取り付けた後の状態を示す断面図
【図３】同グロメットを板厚寸法を異にする取付部材に取り付けた後の状態を示す断面図
【図４】従来例に係るグロメットの取付状態を示す断面図
【発明を実施するための形態】
【００２５】
本発明には、以下の実施形態が含まれる。
（１）本発明では、グロメットを２分割することで組み付け性を向上し、組み付けによる変形、亀裂を防止する。
（２）また、２分割タイプにすることで違うゴム材料・ゴム硬度を組み合わせることができ、それぞれ取り付ける場所により要求仕様（耐熱性、耐油性、支持荷重等）が異なる場合でも違うゴム材料・ゴム硬度を組み合わせることで対応することが可能となる。
（３）グロメットを２分割することで上下にスライドすることができ、板厚の変動を吸収することができる。
（４）従来のグロメットでは一体成形にて作成しているため溝部にスリットを設けることが困難であったが、グロメットを２分割することでスリットを容易に設けることができ、スリット形状によりバネ定数を調節することができる。
【実施例】
【００２６】
つぎに本発明の実施例を図面にしたがって説明する。
【００２７】
図１〜図３は、本発明の実施例に係るグロメット１１を示している。当該実施例に係るグロメット１１は、ゴム状弾性体よりなり、筒状を呈し、その外周面に一方の取付部材６１の穴部６２の周縁部６３を嵌め込むための環状の溝部（凹嵌部とも称する）１３（図２または図３参照）を設けた防振用のグロメットであって、軸方向（図では上下方向）に２分割されることにより取付部材６１の穴部６２に対し軸方向一方（図では上方）から挿入される一方の分割体２１と、軸方向他方（図では下方）から挿入される他方の分割体３１とを備え、これら一方および他方の分割体２１，３１に、挿入後、互いに係合して穴部６２からの抜け止めをなすための抜け止め用係合部４１が設けられている。この抜け止め用係合部４１は、取付部材６１の板厚寸法が変更されても装着できるように一方および他方の分割体２１，３１が互いに軸方向にスライド可能とされたうえで係合するように構成されているが、この点ついては後述する。
【００２８】
一方の取付部材６１は、プレート状の部材であって例えば自動車等車両における吸気管系のブラケットであり、この一方の取付部材６１に設けた穴部６２の周縁部６３を溝部１３に嵌め込むことにより当該グロメット１１が一方の取付部材６１に取り付けられる。またグロメット１１は、その中心軸穴１２にボルト（図示せず）を差し込んでナット（図示せず）に締結することにより他方の取付部材（図示せず）に取り付けられる。グロメット１１およびボルト間にはボルト締めを定寸止めするため、金属等剛材製のブッシュ（図示せず）が介装されることが多い。他方の取付部材は例えば自動車等車両における車両ボディである。したがって当該グロメット１１はこの両取付部材を防振のうえ連結する機能を発揮する。
【００２９】
一方の分割体２１は、以下のように構成されている。
【００３０】
すなわち一方の分割体２１は、断面略四角形状を呈する環状の基部２２を有しており、この基部２２における取付部材６１に面する端面（図では下面）に、取付部材６１の板厚方向一方の面（図では上面）に着座する環状の着座部２３が図上下向きに一体成形されるとともに、着座部２３の内周側に位置して、取付部材６１の穴部６２に差し込まれる外筒部２４が同じく図上下向きに一体成形されている。外筒部２４の先端部（図では下端部）内周面に環状の第１係合突起２５が径方向内方へ向けて設けられ、基部２２の内周面に環状の第２係合突起２６が径方向内方へ向けて設けられている。また、着座部２３および外筒部２４の間に位置して環状のスリット２７が図上下向きに開口するように設けられている。
【００３１】
他方の分割体３１は、以下のように構成されている。
【００３２】
すなわち他方の分割体３１は、断面略四角形状を呈する環状の基部３２を有しており、この基部３２における取付部材６１に面する端面（図では上面）に、取付部材６１の板厚方向他方の面（図では下面）に着座する環状の着座部３３が図上上向きに一体成形されるとともに、着座部３３の内周側に位置して、一方の分割体２１の外筒部２４の内周側に差し込まれる内筒部３４が同じく図上上向きに一体成形されている。内筒部３４の外周面に環状の第３係合突起３５が径方向外方へ向けて設けられている。また、着座部３３および内筒部３４の間に位置して環状のスリット３７が図上上向きに開口するように設けられている。
【００３３】
尚、グロメット１１の溝部１３は、スリット２７，３７が設けられていなければ一方および他方の分割体２１，３１が組み合わされた状態で一方の分割体２１の着座部２３および外筒部２４ならびに他方の分割体３１着座部３３によって３方を囲まれるよう形成されるが、スリット２７，３７が設けられているため、溝幅寸法が溝底部で拡大した形状とされている。
【００３４】
上記構成を備える一方および他方の分割体２１，３１を取付部材６１に取り付けると、図２に示すように一方の分割体２１における外筒部２４が軸方向一方から穴部６２に差し込まれるとともに着座部２３が取付部材６１の板厚方向一方の面に着座し、他方の分割体３１における内筒部３４が軸方向他方から一方の分割体２１における外筒部２４の内周側に差し込まれるとともに着座部３３が取付部材６１の板厚方向他方の面に着座し、このとき一方の分割体２１における第１係合突起２５および他方の分割体３１における第３係合突起３５はその一方が他方を乗り越えて（このとき若干弾性変形する）、第１係合突起２５が第３係合突起３５の軸方向他方の側に位置するとともに第３係合突起３５が第１係合突起２５の軸方向一方の側に位置することになる。
【００３５】
したがって一方の分割体２１が取付部材６１から外れる方向すなわち軸方向一方へ向けて移動しようとしても第１係合突起２５が第３係合突起３５に係合するため、一方の分割体２１は取付部材６１から外れず抜け止めされ、同様に他方の分割体３１が取付部材６１から外れる方向すなわち軸方向他方へ向けて移動しようとしても第３係合突起３５が第１係合突起２５に係合するため、他方の分割体３１は取付部材６１から外れず抜け止めされることになる。
【００３６】
また、このとき図２に示したように、一方の分割体２１における着座部２３が取付部材６１の板厚方向一方の面に着座するとともに他方の分割体３１における着座部３３が取付部材６１の板厚方向他方の面に着座した状態において、第１係合突起２５および第３係合突起２５間に所定の大きさに亙って軸方向の遊び隙間ｃが設定されるように構成されている。したがってこのように遊び隙間ｃが設定された状態から図３に示す両係合突起２５，３５が係合した状態（遊び隙間ｃが消失した状態）となるまでの間で一方および他方の分割体２１，３１は軸方向にスライド可能とされ、すなわち上記抜け止め用係合部４１が、一方および他方の分割体２１，３１が互いに軸方向にスライド可能とされたうえで係合するように構成されているため、このスライドする範囲で取付部材６１の板厚寸法の変更に対応することが可能とされている。
【００３７】
図２に示すように一方および他方の分割体２１，３１が互いに近付く方向にスライドするスライド端限は、一方の分割体２１における第２係合突起２６および他方の分割体３１における第３係合突起３５が係合すること、および／または一方の分割体２１における外筒部２４の先端および他方の分割体３１における基部３２が当接することによって定められる。これに対し、図３に示すように一方および他方の分割体２１，３１が互いに離れる方向にスライドするスライド端限は上記したように、第１係合突起２５および第３係合突起３５が係合することによって定められる。したがって一方および他方の分割体２１，３１はこのように図２から図３へかけての範囲でスライドすることが可能とされ、換言すると、図２に示す最小板厚寸法ｔ１から図３に示す最大板厚寸法ｔ２の範囲で取付部材６１の板厚寸法の変更に対応することが可能とされている。
【００３８】
上記構成を備えるグロメット１１においては、軸方向に２分割されることにより一方の取付部材６１の穴部６２に対し軸方向一方から挿入される一方の分割体２１と、軸方向他方から挿入される他方の分割体３１とが備えられ、これら分割体２１，３１がいずれも、取付部材６１に取り付ける際に大きく弾性変形する必要のない形状とされている。また、これら分割体２１，３１は穴部６２への挿入後、互いに係合して抜け止めをなすための抜け止め用係合部４１を備えているため、取付部材６１から外れることがない。したがってグロメット１１を取付部材６１に取り付ける際にグロメット１１を大きく弾性変形させる必要がないため、グロメット１１に亀裂などが発生するのを防止することができ、併せて取付作業、更には取外し作業を容易化することができる。
【００３９】
また、これら分割体２１，３１は取付部材６１の板厚寸法が変更されても装着できるように互いに軸方向にスライド可能とされたうえで抜け止め用係合部４１が係合するため、この両分割体２１，３１がスライドする範囲で取付部材６１の板厚寸法の変更に対応することが可能とされている。したがって取付部材６１の板厚寸法が変更されてもグロメット１１を装着することができ、よってグロメット１１に汎用性を持たせることができる。
【００４０】
また、分割体２１，３１にスリット２７，３７が設けられてこのスリット２７，３７の大きさまたは形状によりグロメット１１のバネ定数を調整可能とされているため、グロメット１１の外観形状やゴム材料、ゴム硬度などを変更しなくてもグロメット１１のバネ定数を設計段階で変更することができる。したがってグロメット１１の外観形状が同じであってもバネ定数が異なる製品を提供することができ、よって製品仕様を多様化することができる。
【００４１】
尚、上記一方および他方の分割体２１，３１は、互いに同種のゴム材料によって成形されるが、互いに異なる種類のゴム材料によって成形されるものであっても良い。また一方および他方の分割体２１，３１は、ゴム硬度を互いに同一に設定されるが、ゴム硬度を互いに異なるように設定されるものであっても良い。そして、これらによればゴム材料またはゴム硬度についての組み合わせが多様化されるため、これらの組み合わせ如何によってもグロメット１１の製品仕様を多様化することができる。
【符号の説明】
【００４２】
１１  グロメット
１２  中心軸穴
１３  溝部
２１  一方の分割体
２２，３２  基部
２３，３３  着座部
２４  外筒部
２５，２６，３５  係合突起
２７，３７  スリット
３１  他方の分割体
３４  内筒部
４１  抜け止め用係合部
６１  取付部材
６２  穴部
６３  周縁部
ｃ  遊び隙間
【図１】
0005964137.tif 000002
【図２】
0005964137.tif 000003
【図３】
0005964137.tif 000004
【図４】
0005964137.tif 000005